(57)【要約】      （修正有）【課題】化学処理を必要とせず、薬注入コストを省き、廃水排出量が小さく、また、環境を効果的に保護し、熱交換損失を低減し、エネルギーを節約する水処理装置を提供する。【解決手段】水冷却塔（２）、貯水タンク（１）、熱交換器（４）、上循環水管（９）、下循環水管（１０）、循環ポンプ（３）、及び無薬注水処理装置を含む水冷却塔用の水処理装置において、無薬注水処理装置は、水管で順に接続されたエネルギープレフィルタ（５）、繊維性フィルタ（７）及び磁化器（８）を含み、エネルギープレフィルタ（５）の取水口は水管を介して上循環水管（９）に接続される。磁化器（８）の排水口端は水管を介して放射装置（１２）に接続され、放射装置（１２）は上循環水管（９）に接続される。【選択図】図１【実用新案登録請求の範囲】
【請求項１】
水冷却塔、貯水タンク、熱交換器、上循環水管、下循環水管、及び循環ポンプを含み、前記水冷却塔は前記貯水タンクの上方に設けられ、前記水冷却塔の上端に冷却ファンが設けられ、前記貯水タンクの排水口は前記循環ポンプと前記下循環水管を介して前記熱交換器の取水口に接続され、前記熱交換器の排水口は前記上循環水管に接続され、前記上循環水管の排水口は前記水冷却塔内に設けられる水冷却塔用の水処理装置において、水管で順に接続されたエネルギープレフィルタ、繊維性フィルタ及び磁化器を含む無薬注水処理装置をさらに含み、前記エネルギープレフィルタの取水口は水管を介して前記上循環水管に接続され、前記磁化器の排水口は水管を介して前記上循環水管に接続され、且つ前記エネルギープレフィルタの取水口と前記上循環水管との接続端は前記磁化器の排水口と前記上循環水管との接続端の前に位置していることを特徴とする、水冷却塔用の水処理装置。
【請求項２】
前記エネルギープレフィルタと前記繊維性フィルタとの間にさらにポンプが設けられていることを特徴とする、請求項１に記載の水冷却塔用の水処理装置。
【請求項３】
前記磁化器の排水口と前記上循環水管との間、及び前記エネルギープレフィルタの取水口と前記上循環水管との間のいずれにも弁が設けられていることを特徴とする、請求項１に記載の水冷却塔用の水処理装置。
【請求項４】
一端が前記磁化器の排水端に接続され、他端が前記上循環水管に接続される放射装置をさらに含むことを特徴とする、請求項１に記載の水冷却塔用の水処理装置。
【考案の詳細な説明】
【技術分野】
【０００１】
本実用新案は水冷却塔用の水処理装置に関し、水処理の分野に属する。
【背景技術】
【０００２】
経済の高速成長及び人口の増加に従って、水不足の現象及び水質悪化はますます際だった問題になっている。このため、水を節約し、水処理を確実に行い、産業循環水及び商業用水の再利用率を高めることは非常に重要である。
【０００３】
現在、産業循環水及び商業用水に対する処理では、良質で安全な水処理剤を選択、採用して、水処理用化学剤により循環冷却水の水質を制御する技術は肝心な課題となる。従って、水処理剤についての研究及び応用は、現在の水処理活動において一貫して注目されている課題である。しかし、産業循環水及び商業用水の給水では、地表水（例えば、河水、湖水、ダムの水）や地下水（例えば、井戸水、泉水、水道水）のいずれにも不純物、例えば懸濁物や藻類物質が含まれているため、予防措置を取らないと、それらが熱交換面に堆積し、水垢が発生してしまう。一旦水垢が発生すると、熱交換率が低下し、装置と管路が腐食されて生産の安全に危害が及んでしまう。このため、産業循環水及び商業用水に対する処理は必要なものであり、省エネルギー及び排出削減にも必要なものである。
【考案の概要】
【考案が解決しようとする課題】
【０００４】
本実用新案は、コストが低く、薬無注入の水冷却塔用の水処理装置を提供することを目的とする。
【課題を解決するための手段】
【０００５】
上記の実用新案の目的を実現するために、本実用新案は下記のような技術的解決手段を採用している。
【０００６】
水冷却塔、貯水タンク、熱交換器、上循環水管、下循環水管、及び循環ポンプを含み、前記水冷却塔は前記貯水タンクの上方に設けられ、前記水冷却塔の上端に冷却ファンが設けられ、前記貯水タンクの排水口は前記循環ポンプと前記下循環水管を介して前記熱交換器の取水口に接続され、前記熱交換器の排水口は前記上循環水管に接続され、前記上循環水管の排水口は前記水冷却塔内に設けられる水冷却塔用の水処理装置において、水管で順に接続されたエネルギープレフィルタ、繊維性フィルタ及び磁化器を含む無薬注水処理装置をさらに含み、前記エネルギープレフィルタの取水口は水管を介して前記上循環水管に接続され、前記磁化器の排水口は水管を介して前記上循環水管に接続され、且つ前記エネルギープレフィルタの取水口と前記上循環水管との接続端は前記磁化器の排水口と前記上循環水管との接続端の前に位置している水冷却塔用の水処理装置。
【０００７】
好ましくは、前記エネルギープレフィルタと前記繊維性フィルタとの間にさらにポンプが設けられている。
【０００８】
好ましくは、前記磁化器の排水口と前記上循環水管との間及び前記エネルギープレフィルタの取水口と前記上循環水管との間のいずれにも弁が設けられている。
【０００９】
好ましくは、一端が前記磁化器の排水端に接続され、他端が前記上循環水管に接続される放射装置をさらに含む。
【００１０】
動作の時、二つの弁が開けられ、循環水は循環ポンプにより熱交換器に送られて処理された後、熱交換器から排出されて、順にエネルギープレフィルタ、繊維性フィルタ７及び磁化器に入ってろ過されると共に磁化され、最後に水冷却塔に送られて戻される。循環水に対してろ過と磁化処理を行う必要がないときには、二つの弁１１を閉じればよい。
【００１１】
そのうち、ポンプは循環水を無薬注水処理装置から上循環水管に入らせるためのものである。
【考案の効果】
【００１２】
従来技術に比べて、本実用新案は下記の有益な効果がある。
【００１３】
１．化学処理を必要とせず、薬注入コストを省いた。
２．補給水の需要及び廃水の排出を低減した。
３．補給水に含まれる鉱物質が低減されたため、熱交換損失を低減し、エネルギーを節約した。
４．水垢による装置の損傷を低減し、装置の正常運転率及び耐用年数を保証した。
【図面の簡単な説明】
【００１４】
【図１】本実用新案の好ましい実施例にかかる水冷却塔用の水処理装置の構造を示す模式図である。
【考案を実施するための形態】
【００１５】
図１を参照して、当該水冷却塔用の水処理装置は、貯水タンク１、水冷却塔２、循環ポンプ３、熱交換器４、エネルギープレフィルタ５、ポンプ６、繊維性フィルタ７、磁化器８、上循環水管９、下循環水管１０、及び弁１１を含む。水冷却塔２は貯水タンク１の上方に設けられ、冷却水塔２の上端には冷却ファン２１が設けられる。貯水タンク１の排水口は循環ポンプ３と下循環水管１０を介して熱交換器４の取水口に接続され、熱交換器４の排水口は上循環水管９に接続され、上循環水管９の排水口は水冷却塔２内に設けられる。エネルギープレフィルタ５、ポンプ６、繊維性フィルタ７及び磁化器８は水管で順に接続される。エネルギープレフィルタ５の取水口は水管を介して上循環水管９に接続され、磁化器８の排水端は水管を介して放射装置１２に接続される。放射装置１２は上循環水管９に接続され、且つエネルギープレフィルタ５の取水口と上循環水管９との接続端９２は磁化器８の排水口と上循環水管９との接続端９１の前に位置している。そのうち、磁化器８と上循環水管９との間、及びエネルギープレフィルタ５と上循環水管９との間のいずれにも弁１１が設けられている。
【００１６】
動作の時、二つの弁１１が開けられ、循環水は循環ポンプ３により熱交換器４に送られて処理された後、熱交換器４から排出されて、順にエネルギープレフィルタ５、繊維性フィルタ７及び磁化器８に入ってろ過されると共に磁化され、最後に水冷却塔２に送られて戻される。循環水に対してろ過と磁化処理を行う必要がないときには、二つの弁１１を閉じればよい。
【００１７】
以上は、本実用新案の具体的な応用例に過ぎず、なんら本実用新案の保護範囲を制限するものではないと理解されるべきである。同等変換又は等価取替によるあらゆる技術的解決手段は、本実用新案の権利保護範囲内にある。
【図１】
0003203808.tif 000002